(57)【要約】【課題】床面に散乱したコインを、手動にて容易且つ能率よく回収するためのコイン回収器を提供する。【解決手段】請求項１記載のコイン回収器は、床に落ちているコインをキャッチして送り込むための摩擦抵抗の高いゴム等、適宜な素材のローラーをハウジングの前方を開口した先に設けると共に、ハンドル杆の下部先端をハウジングの前方に支点として固定し、回収したコインの貯留部をハウジングの後方に設け、コイン回収器を床上へ平面に設置し、落ちているコインを的に手動にてスライドすることにより、ローラーが回転しハウジング内へコインを取り込んだ所で、ハンドル杆を通してコイン回収器を床から持ち上げることで、上記ハウジングの前方に固定したハンドル杆の下部先端の支点とのバランスによりハウジング後方部分が下がり、取り込んだコインが必然的にコイン貯留部へ送り込まれることを特徴とする。請求項２記載の、上記ハウジング内半ばに、回収したコインの逆流を防ぐべく逆流防止蓋兼コイン排出ベロを設け、コイン貯留部へと回収したコインの逆流を防ぎつつ、コインを取り出す際の取り出し補助になる機構を特徴とする。【実用新案登録請求の範囲】
【請求項１】
コインをキャッチして送り込むための摩擦抵抗の高いゴム等、適宜な素材のローラーをハウジングの前方に設けると共に、回収したコインの貯留部をハウジングの後方に設けたコイン回収器を、床上へ平面に設置し、落ちているコインを的にスライドすることにより、ローラーが回転しハウジング内のコイン貯留部へ送り込むことを特徴とするコイン回収器。
【請求項２】
上記ハウジング内半ばに、回収したコインの逆流を防ぐべく逆流防止蓋兼コイン排出ベロを設け、コイン貯留部へと回収したコインの逆流を防ぎつつ、コインを取り出す際の取り出し補助になる機構を特徴とする請求項１記載のコイン回収器。
【考案の詳細な説明】
【技術分野】
【０００１】本考案は、パチスロ店やゲームセンター他、カジノ等、コイン使用の遊技場内において床面に散乱したコインを、手動にて容易且つ能率よく回収するためのコイン回収器に関する。
【背景技術】
【０００２】従来は、パチスロ店やゲームセンター等、コイン使用の遊技場内床面に転がり落ちたコインの大方は放置され、美観を損なう。そのため従業員が腰を屈めて手で拾って回収するか、掃除機でゴミや塵と共に吸引して回収していた。
【考案の開示】
【考案が解決しようとする課題】
【０００３】上記で述べた、腰を屈めて手で拾う回収作業には労力的に負担がかかり、掃除機使用の回収では、コスト面・騒音面・コインに沢山の塵が付着してしまうといった衛生面でも良く無い。【０００４】そこで、本考案は上記問題点に鑑み、手動でありながら、床面に散乱したコインを、容易且つ能率良く回収可能なコイン回収器を提供することを目的としている。
【課題を解決するための手段】
【０００５】上記の課題を解決するために請求項１記載のコイン回収器は、コインをキャッチして送り込むための摩擦抵抗の高いゴム等、適宜な素材のローラーをハウジングの前方に設けると共に、回収したコインの貯留部をハウジングの後方に設けたコイン回収器を、床上へ平面に設置し、落ちているコインを的にスライドすることにより、ローラーが回転しハウジング内のコイン貯留部へ送り込むことを特徴とするコイン回収器。【０００６】請求項２記載の、上記ハウジング内半ばに、回収したコインの逆流を防ぐべく逆流防止蓋兼コイン排出ベロを設け、コイン貯留部へと回収したコインの逆流を防ぎつつ、コインを取り出す際の取り出し補助になる機構を特徴とする。【０００７】上記ローラーの床面側接着部表面には、凹凸が有ることが好ましい。【０００８】コイン回収器は立位の姿勢で操作できるようハンドル杆の上端部にハンドルが設けられていることが好ましい。
【考案の効果】
【０００９】本考案は以上詳述したように構成されていることから、掃除機とは異なり吸引動作によらないので、ゴミや塵の混入、コインへの吸着を減らし衛生的に改善し、手動にしたことでコストと騒音を抑え、容易且つ能率良くコインを回収することができる。
【考案を実施するための最良の形態】
【００１０】以下、本考案を具体化した実施の形態を図面にて参照しながら述べる。
図１は、本考案のメダル回収器の斜視図であり、図２ａ乃至ｄは、メダル回収作業の過程を順次に示す概略図である。
図３は、回収したコインを取り出す時の概略図である。【００１１】本考案によるコイン回収作業は先ず。図２ａに示すように、ハウジング１の先端に設けたローラー４によって、コインＣをキャッチすることがら始まる。
次に、図２ｂに示すように。コイン回収器を前方へスライドすることにより、同時にローラー４が回転し、コインＣを後方のハウジング１内へ誘導し、図２ｃから図２ｄに示すように、コイン貯留部５へと容易にコインＣを回収することが可能となる。【００１２】図３に示すように、回収したコインＣを取り出す際は、コイン回収器のローラー２を下にするように傾けることで、コイン貯留部５に回収されたコインＣがコイン取出口７から、逆流防止蓋兼コイン排出ベロ６によって滑り出て、最終的に手元へと回収が可能となる。
【産業上の利用可能性】
【００１３】本考案はコインを使用する遊技場等において、床に散乱したコインを回収するために用いることができる。
【図面の簡単な説明】
【００１４】
【図１】本考案の実施形態を示す斜視図である。
【図２】（ａ）コイン回収作業の過程を順次に示す概略図である。（ｂ）コイン回収作業の過程を順次に示す概略図である。（ｃ）コイン回収作業の過程を順次に示す概略図である。（ｄ）コイン回収作業の過程を順次に示す概略図である。
【図３】コイン回収器によって回収したコインを取り出す作業を示す概略図である。
【符号の説明】
【００１５】１…ハウジング
２…ローラー
３…ハンドル杆
４…ハンドル
５…コイン貯留部
６…逆流防止蓋兼コイン排出ベロ
７…コイン取出口
Ｃ…コイン
【図１】
0003133405.tif 000002
【図２】
0003133405.tif 000003
【図３】
0003133405.tif 000004
【手続補正書】
【提出日】平成19年4月9日(2007.4.9)
【手続補正１】
【補正対象書類名】実用新案登録請求の範囲
【補正対象項目名】請求項１
【補正方法】変更
【補正の内容】
【請求項１】
床に落ちているコインをキャッチして送り込むための摩擦抵抗の高いゴム等、適宜な素材のローラーをハウジングの前方を開口した先に設けると共に、ハンドル杆の下部先端をハウジングの前方に支点として固定し、回収したコインの貯留部をハウジングの後方に設け、コイン回収器を床上へ平面に設置し、落ちているコインを的に手動にてスライドすることにより、ローラーが回転しハウジング内へコインを取り込んだ所で、ハンドル杆を通してコイン回収器を床から持ち上げることで、上記ハウジングの前方に固定したハンドル杆の下部先端の支点とのバランスによりハウジング後方部分が下がり、取り込んだコインが必然的にコイン貯留部へ送り込まれることを特徴とするコイン回収器。
【手続補正２】
【補正対象書類名】明細書
【補正対象項目名】０００５
【補正方法】変更
【補正の内容】
【０００５】上記の課題を解決するために請求項１記載のコイン回収器は、床に落ちているコインをキャッチして送り込むための摩擦抵抗の高いゴム等、適宜な素材のローラーをハウジングの前方を開口した先に設けると共に、ハンドル杆の下部先端をハウジングの前方に支点として固定し、回収したコインの貯留部をハウジングの後方に設け、コイン回収器を床上へ平面に設置し、落ちているコインを的に手動にてスライドすることにより、ローラーが回転しハウジング内へコインを取り込んだ所で、ハンドル杆を通してコイン回収器を床から持ち上げることで、上記ハウジングの前方に固定したハンドル杆の下部先端の支点とのバランスによりハウジング後方部分が下がり、取り込んだコインが必然的にコイン貯留部へ送り込まれることを特徴とする。
【手続補正３】
【補正対象書類名】明細書
【補正対象項目名】００１１
【補正方法】変更
【補正の内容】
【００１１】本考案によるコイン回収作業は先ず。図２ａに示すように、ハウジング１の先端に設けたローラー４によって、コインＣをキャッチすることがら始まる。
次に、図２ｂに示すように。コイン回収器を前方へスライドすることにより、同時にローラー４が回転し、コインＣを後方のハウジング１内へ誘導し、取り込む。
続いて図２ｂで示したように、コインを取り込んだ所で、ハンドル杆を通してコイン回収器を床から持ち上げることで、上記ハウジングに固定したハンドル扞の下部先端の支点とのバランスによりハウジング後方部分が下がり、図２ｃに示すように、逆流防止蓋兼コイン排出ベロを通過し、図２ｄに示すように、コイン貯留部５へと滑り込ませ容易にコインＣを回収することが可能となる。
【手続補正４】
【補正対象書類名】図面
【補正対象項目名】図２
【補正方法】変更
【補正の内容】
【図２】
0003133405.tif 000005